(57)【要約】【課題】ＰＯＮシステムにおいて、交換前と同じＰＯＮ−ＩＤを割当て、交換前の設定データを交換後も継承する。【解決手段】ＯＬＴ４０は、ＰＯＮ−ＩＤの管理状態を保存するＰＯＮ−ＩＤ状態４６２と、ＰＯＮ−ＩＤと、接続したＯＮＵシリアル番号及び設定データとを対応付けて保存するＰＯＮ−ＩＤ管理テーブル４６３と、ＰＯＮ−ＩＤと削除対象のＯＮＵシリアル番号を対応付けて保存する削除ＯＮＵテーブル４６４とを備える。ＯＬＴ４０が、例えばオペレーション装置１０からＯＮＵ交換指示を受けた際に、交換対象のＯＮＵ６０に割当てられていたＰＯＮ−ＩＤを、ＯＮＵ交換中に新たに接続したＯＮＵ６０に対し割当てることにより、交換後のＯＮＵ６０に交換前のＰＯＮ−ＩＤを割当てる。【選択図】図２
2007135026.tif 000002
【特許請求の範囲】
【請求項１】
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおいて、接続された前記第１の光網終端装置のひとつを第２の光網終端装置に交換するための光網終端装置管理方法であって、
交換対象として指定された第１の光網終端装置の前記識別子を含む交換指示をオペレーション装置から受信するステップと、
第１の光網終端装置の前記識別子に対応して、第１の光網終端装置の固有番号と、第１の光網終端装置の通信及び／又は使用者についての個別設定情報とが記憶された接続管理テーブルから、指定された前記識別子に対応する前記固有番号を取得し、該固有番号を指定された前記識別子に対応して削除管理テーブルに保存するステップと、
指定された前記識別子に対応する前記固有番号を前記接続管理テーブルから削除するステップと、
第１の光網終端装置の固有番号、又は、第１の光網終端装置に代えて新たに接続された第２の光網終端装置の固有番号を取得するステップと、
前記削除管理テーブルを参照して、前記取得するステップで取得された前記固有番号が保存されているか判断するステップと、
前記固有番号が保存されていない場合、指定された前記識別子に対応して、取得された前記固有番号を前記接続管理テーブルに保存するステップと、
前記固有番号が保存されている場合、前記取得するステップ、前記判断するステップ及び前記接続管理テーブルに保存するステップを繰り返すステップと
を含む光網終端装置管理方法。
【請求項２】
前記接続管理テーブルに保存するステップにより、前記固有番号が前記接続管理テーブルに保存されると、指定された前記識別子に対応する固有番号を、前記削除管理テーブルから削除するステップ
をさらに含む請求項１に記載の光網終端装置管理方法。
【請求項３】
光網終端装置の交換中を示す情報又は割り当てる前記識別子の有無を示す情報が記憶される状態管理部に、交換指示に従い光網終端装置の交換中を示す情報を保存し、及び、交換後に、割り当てる前記識別子の有無を示す情報を保存するステップと、
前記取得するステップにおいて固有番号が取得されると、前記状態管理部を参照し、光網終端装置の交換中ではない場合に、未割当の前記識別子のひとつを割り当て、該識別子に対応して取得された前記固有番号と個別設定情報とを前記接続管理テーブルに保存するステップと
をさらに含む請求項１に記載の光網終端装置管理方法。
【請求項４】
削除対象として指定された第１又は第２の光網終端装置の前記識別子を含む削除指示を受信するステップと、
前記接続管理テーブルから、該識別子に対応する前記固有番号を取得し、指定された前記識別子に対応して、前記固有番号を前記削除管理テーブルに保存するステップと、
指定された前記識別子に対応する固有番号と個別設定情報とを、接続管理テーブルから削除するステップと
をさらに含む請求項１に記載の光網終端装置管理方法。
【請求項５】
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおいて、接続された前記第１の光網終端装置のひとつを第２の光網終端装置に交換するための光網終端装置管理方法であって、
交換対象として指定された第１の光網終端装置の固有番号を含む交換指示をオペレーション装置から受信するステップと、
第１の光網終端装置の前記識別子に対応して、第１の光網終端装置の固有番号と、第１の光網終端装置の通信及び／又は使用者についての個別設定情報とが記憶された接続管理テーブルから、指定された前記固有番号に対応する前記識別子を取得し、指定された前記固有番号を前記識別子に対応して削除管理テーブルに保存するステップと、
指定された前記固有番号を前記接続管理テーブルから削除するステップと、
第１の光網終端装置の固有番号、又は、第１の光網終端装置に代えて新たに接続された第２の光網終端装置の固有番号を取得するステップと、
前記削除管理テーブルを参照して、前記取得するステップで取得された前記固有番号が保存されているか判断するステップと、
前記固有番号が保存されていない場合、指定された前記識別子に対応して、取得された前記固有番号を前記接続管理テーブルに保存するステップと、
前記固有番号が保存されている場合、前記取得するステップ、前記判断するステップ及び前記接続管理テーブルに保存するステップを繰り返すステップと
を含む光網終端装置管理方法。
【請求項６】
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおける前記光伝送路終端装置であって、
第１の光網終端装置の前記識別子に対応して、第１の光網終端装置の固有番号と、第１の光網終端装置の通信及び／又は使用者についての個別設定情報とが記憶された接続管理テーブルと、
前記識別子に対応して、第１の光網終端装置の前記固有番号が記憶される削除管理テーブルと、
接続された前記第１の光網終端装置のひとつを前記第２の光網終端装置に交換するための処理を実行する処理部と
を備え、
前記処理部は、
交換対象として指定された第１の光網終端装置の前記識別子を含む交換指示をオペレーション装置から受信することと、
前記接続管理テーブルから、指定された前記識別子に対応する前記固有番号を取得し、該固有番号を指定された前記識別子に対応して前記削除管理テーブルに保存することと、
指定された前記識別子に対応する前記固有番号を前記接続管理テーブルから削除することと、
第１の光網終端装置の固有番号、又は、第１の光網終端装置に代えて新たに接続された第２の光網終端装置の固有番号を取得することと、
前記削除管理テーブルを参照して、取得された前記固有番号が保存されているか判断することと、
前記固有番号が保存されていない場合、指定された前記識別子に対応して、取得された前記固有番号を前記接続管理テーブルに保存することと、
前記固有番号が保存されている場合、前記取得すること、前記判断すること及び前記接続管理テーブルに保存することを繰り返すこと
を含む前記光伝送路終端装置。
【請求項７】
前記処理部は、
前記固有番号が前記接続管理テーブルに保存されると、指定された前記識別子に対応する固有番号を、前記削除管理テーブルから削除すること
をさらに含む請求項６に記載の光伝送路終端装置。
【請求項８】
光網終端装置の交換中を示す情報又は割り当てる前記識別子の有無を示す情報が記憶される状態管理部
をさらに備え、
前記処理部は、
前記状態管理部に、交換指示に従い光網終端装置の交換中を示す情報を保存し、及び、交換後に、割り当てる前記識別子の有無を示す情報を保存することと、
前記固有番号が取得されると前記状態管理部を参照し、光網終端装置の交換中ではない場合に、未割当の前記識別子のひとつを割り当て、該識別子に対応して取得された前期固有番号と個別設定情報とを前記接続管理テーブルに保存することと
をさらに含む請求項６に記載の光伝送路終端装置。
【請求項９】
前記処理部は、
削除対象として指定された第１又は第２の光網終端装置の前記識別子を含む削除指示を受信することと、
前記接続管理テーブルから、該識別子に対応する前記固有番号を取得し、指定された前記識別子に対応して、前記固有番号を前記削除管理テーブルに保存することと、
指定された前記識別子に対応する固有番号と個別設定情報とを、前記接続管理テーブルから削除するステップと
をさらに含む請求項６に記載の光伝送路終端装置。
【請求項１０】
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおける前記光伝送路終端装置であって、
第１の光網終端装置の前記識別子に対応して、第１の光網終端装置の固有番号と、第１の光網終端装置の通信及び／又は使用者についての個別設定情報とが記憶された接続管理テーブルと、
前記識別子に対応して、第１の光網終端装置の前記固有番号が記憶される削除管理テーブルと、
接続された前記第１の光網終端装置のひとつを前記第２の光網終端装置に交換するための処理を実行する処理部と
を備え、
前記処理部は、
交換対象として指定された第１の光網終端装置の固有番号を含む交換指示をオペレーション装置から受信することと、
前記接続管理テーブルから、指定された前記固有番号に対応する前記識別子を取得し、指定された前記固有番号を前記識別子に対応して前記削除管理テーブルに保存することと、
指定された前記固有番号を前記接続管理テーブルから削除することと、
第１の光網終端装置の固有番号、又は、第１の光網終端装置に代えて新たに接続された第２の光網終端装置の固有番号を取得することと、
前記削除管理テーブルを参照して、前記取得することで取得された前記固有番号が保存されているか判断することと、
前記固有番号が保存されていない場合、指定された前記識別子に対応して、取得された前記固有番号を前記接続管理テーブルに保存することと、
前記固有番号が保存されている場合、前記取得すること、前記判断すること及び前記接続管理テーブルに保存することを繰り返すことと
を含む光伝送路終端装置。
【発明の詳細な説明】
【技術分野】
【０００１】
本発明は、ＯＮＵ管理方法および光伝送路終端装置に係り、特に、ＯＬＴ（Ｏｐｔｉｃａｌ  Ｌｉｎｅ  Ｔｅｒｍｉｎａｔｉｏｎ：光伝送路終端装置）と、ＯＮＵ（Ｏｐｔｉｃａｌ  Ｎｅｔｗｏｒｋ  Ｕｎｉｔ：光網終端装置）またはＯＮＴ（Ｏｐｔｉｃａｌ  Ｎｅｔｗｏｒｋ  Ｔｅｒｍｉｎａｔｉｏｎ：光網終端装置）とを有するＰＯＮ（Ｐａｓｓｉｖｅ  Ｏｐｔｉｃａｌ  Ｎｅｔｗｏｒｋ）システムにおけるＯＮＵ管理方法および光伝送路終端装置に関する。
【背景技術】
【０００２】
現在、アクセス網の高速ブロードバンド化の一実現方法として、ＰＯＮシステムの導入が進んでいる。ＰＯＮシステムとは、複数のユーザ側装置（ＯＮＵ：光網終端装置）と一つの局側装置（Ｏｐｔｉｃａｌ  Ｌｉｎｅ  Ｔｅｒｍｉｎａｔｉｏｎ、ＯＬＴ：光伝送路終端装置）を、光スプリッタ及び光ファイバでスター型に接続し、ＯＬＴ−ＯＮＵ装置間を通信するネットワークシステムである。
【０００３】
ＰＯＮシステムとしては、ＰＯＮ区間をＡＴＭ（Ａｓｙｎｃｈｒｏｎｏｕｓ  Ｔｒａｎｓｆｅｒ  Ｍｏｄｅ）通信方式に基づいて通信するＡＴＭ−ＰＯＮシステムが、ＩＴＵ−Ｔ勧告Ｇ．９８３シリーズによって標準化されている（例えば、非特許文献１参照）。また、ＩＴＵ−Ｔ勧告Ｇ．９８４シリーズによって、ＧＰＯＮ（Ｇｉｇａｂｉｔ−ｃａｐａｂｌｅ
Ｐａｓｓｉｖｅ Ｏｐｔｉｃａｌ
Ｎｅｔｗｏｒｋｓ）システムが標準化されている。
【０００４】
例えば、ＡＴＭ−ＰＯＮシステムでは、ＩＴＵ−Ｔ勧告Ｇ．９８３．１（非特許文献１）に記載されているとおり、ＯＬＴ−ＯＮＵ間の通信を確立しＯＮＵ接続するためにレンジングフローと呼ばれる一連の処理を行なう。レンジングフロー処理とは、ＯＬＴ−ＯＮＵ間の距離を測定し、ＯＮＵからＯＬＴへの上り信号の送信タイミングをＯＮＵ毎に決定し、上り信号の衝突を防ぐようにする機能である。レンジングフロー処理で距離を測定するときには、測定時のＯＮＵ応答の衝突を避けるため、ＯＮＵを１台ずつ応答させる必要があり、そのためにＯＮＵの固有シリアル番号を用いる。つまり、ＯＮＵシリアル番号を指定し、応答して良いＯＮＵを特定する。ＯＬＴでＯＮＵシリアル番号が分かり、距離も測定できたＯＮＵには、ＰＯＮ−ＩＤというＯＮＵ識別用の番号（識別子）を割り当て、以後ＰＯＮ−ＩＤでＯＮＵを特定しＯＬＴ−ＯＮＵ間のメッセージが交わされる。
ＯＮＵ識別子は、後述する非特許文献１では「ＰＯＮ−ＩＤ」と記述されているが、文献によっては「ＯＮＴ−ＩＤ」または「ＯＮＵ−ＩＤ」などと記述される場合がある。
【０００５】
ＯＮＵの固有シリアル番号は、６４ビットの情報で定義され、上位３２ビットはベンダを表すベンダＩＤ（ベンダ毎に固定値）、下位３２ビットはベンダが任意に定義可能なベンダ定義部、と定義されている。例えば、ベンダ定義部３２ビットにおいて、「製造年月日と通し番号を割当てる」、または「３２ビットを全て通し番号とする」などして各ＯＮＵが異なるシリアル番号を持つようにしてＯＮＵを識別できるようにする。
【０００６】
レンジングフロー処理で、ＯＮＵの固有シリアル番号を用いてＯＮＵ接続を行なうが、ＯＮＵ接続方法として、例えば、非特許文献１の８．４．１．１に２つの方法（方法Ａ，方法Ｂ）が示されている。方法Ａは、例えば、ＯＮＵのシリアル番号をオペレーション装置（ＯｐＳ）からＯＬＴに登録する方法である。方法Ｂは、例えば、ＯＮＵのシリアル番号をオペレーション装置からＯＬＴに登録しない方法である。
【０００７】
方法Ｂの場合、オペレーション装置からＯＬＴにＯＮＵシリアル番号を登録しないが、ＯＬＴ−ＯＮＵ間の通信確立にはＯＬＴ側でＯＮＵのシリアル番号を特定する必要があるため、ＯＬＴ側でＯＮＵシリアル番号を探索する手順が必要となる。ＯＮＵシリアル番号の探索とは、単純にＯＮＵシリアル番号６４ビットパターンのうち、種々のビットパターン（例えば、下位数ビット等）を試し、ＯＮＵからの応答の有無をもって接続されているＯＮＵのシリアル番号に合致するビットパターンを探し出すことを言う。非特許文献１のIII．２にＯＮＵシリアル番号の探索方法の一例が示されている。
【０００８】
また、冗長構成をなす複数のＯＮＵの現用系と予備系を切り替える際に、ＯＮＴ側のスイッチを設定することにより切り替え前後で同じＯＮＵ識別子を使うシステム等が知られている（例えば、特許文献１参照）。冗長構成において、現用系と予備系で同じ加入者装置情報（シリアル番号）を有するものが知られている（例えば、特許文献２参照）
【特許文献１】特開２００５−４５５６６号公報
【特許文献２】特開２００３−２４４１７９号公報
【非特許文献１】ＩＴＵ−Ｔ勧告Ｇ．９８３．１、“Ｂｒｏａｄｂａｎｄ  ｏｐｔｉｃａｌ  ａｃｃｅｓｓ  ｓｙｓｔｅｍｓ  ｂａｓｅｄ  ｏｎ  Ｐａｓｓｉｖｅ  Ｏｐｔｉｃａｌ  Ｎｅｔｗｏｒｋｓ  （ＰＯＮ）”
【発明の開示】
【発明が解決しようとする課題】
【０００９】
レンジングフロー処理がなされ、接続したＯＮＵに対してＰＯＮ−ＩＤが割当てられると、以降のＯＬＴ−ＯＮＵ間のメッセージはＰＯＮ−ＩＤでＯＮＵを特定して行われる。よって、ＯＮＵに個別に設定を行った場合には、その個別設定データはＰＯＮ−ＩＤに関連付けて保存されることが予想される。そのような状況の下で、例えば、ＯＮＵに故障が発生し、ＯＮＵを交換する場合には、交換後のＯＮＵに対しても交換前に割当てていたＰＯＮ−ＩＤを割当て、交換前の個別設定データを継承し設定したい。
【００１０】
非特許文献１では、ＯＮＵ交換の手順などは明確化されていない。仮に、非特許文献１の方法Ａ、つまり予めＯＬＴからＯＮＵシリアル番号を登録する方法を採用した場合には、ＯＮＵ交換時にも新ＯＮＵのシリアル番号がＯＬＴ側で分かっていることになるので、単に保存データのＯＮＵシリアル番号を書き換えれば良い。しかし、実際にこの方法を行なうには、ＯＮＵ交換時にＯＮＵ設置工事者とオペレーション装置管理者がリアルタイムに連絡を取り合ってオペレーション装置からＯＬＴに新規のＯＮＵシリアル番号を入力するか、または予めＯＮＵシリアル番号をオペレーション装置管理者に連絡しておいた上で、そのシリアル番号のＯＮＵを交換先であるユーザの元へ確実に配布するという煩雑な管理が必要となる。
【００１１】
また、仮に、非特許文献１の方法Ｂ、つまりＯＬＴからＯＮＵシリアル番号を登録しない方法を採用した場合には、ＯＬＴは何らかの方法でＯＮＵシリアル番号の探索を実施し自動的にＯＮＵ接続する。このとき、単にＯＮＵを交換して新ＯＮＵを接続すると、新規にＰＯＮ−ＩＤを割当ててしまい交換前の保存データを継承することができない。もしくは人為的にデータの再設定を行なう必要が生じる。
また、特許文献１の方法では、ＯＮＵ側でスイッチの設定等が必要である。特許文献２の方法では、現用系と予備系で同じシリアル番号を持つ必要がある。
【００１２】
本発明は、以上の点に鑑み、ＰＯＮシステムにおいて、オペレーション装置からＯＬＴにＯＮＵのシリアル番号を登録することなくＯＮＵ接続を行い、かつ、ＯＮＵの交換前と同じＰＯＮ−ＩＤを交換後の新ＯＮＵに割当てるＯＮＵ管理方法および光伝送路終端装置を提供することを目的とする。また、本発明は、交換前の設定データを交換後も継承することを目的とする。
【００１３】
本発明は、ＰＯＮシステムにおいて、ＯＮＵ設置や交換時にＯＮＵ設置工事者とオペレーション装置管理者がリアルタイムに連絡を取り合ってオペレーション装置からＯＬＴにＯＮＵシリアル番号を入力する必要がなくなることを目的とする。また、本発明は、ＯＮＵ交換後にＯＮＵ設定データを再設定する必要が無く、ＯＮＵ交換の容易化を図ることが可能となることを目的とする。
【課題を解決するための手段】
【００１４】
上記目的を達成するために、本発明によるＰＯＮシステムおよびＯＮＵ管理方法では、ＯＬＴは、ＰＯＮ−ＩＤの管理状態を保存する領域（ＰＯＮ−ＩＤ状態）と、ＰＯＮ−ＩＤと接続したＯＮＵシリアル番号を対応付けて保存する領域（ＰＯＮ−ＩＤ管理テーブル）と、ＰＯＮ−ＩＤと削除対象のＯＮＵシリアル番号を対応付けて保存する領域（削除ＯＮＵテーブル）を備え、ＯＮＵ交換指示を受けた際に、ＰＯＮ−ＩＤ管理状態をＯＮＵ交換中に設定して当該ＰＯＮ−ＩＤを保存しておき、交換対象のＯＮＵに割当てられていたＰＯＮ−ＩＤを、ＯＮＵ交換中に新たに接続したＯＮＵに対し割当て、交換後のＯＮＵに交換前のＰＯＮ−ＩＤを割当てる。
【００１５】
本発明のＯＮＵ管理方法は、例えば、ＯＬＴと複数のＯＮＵ又はＯＮＴが光ファイバを用いてスター型に接続されＯＬＴ−ＯＮＵ装置間の通信を行なうＰＯＮシステムにおいて、ＯＬＴからＯＮＵのシリアル番号を登録することなしに、ＯＬＴとＯＮＵの接続を行なうＯＮＵ管理方法であって、接続したＯＮＵのシリアル番号とＯＮＵを識別するための識別子（ＰＯＮ−ＩＤ、ＯＮＵ識別子）を関連付けて接続管理テーブルに保存するステップと、ＯＮＵ交換時に、交換対象として指定されたＯＮＵ識別子に該当するＯＮＵシリアル番号を接続管理テーブルから削除するステップと、交換対象として指定されたＯＮＵ識別子と交換対象のＯＮＵシリアル番号を関連付けて削除管理テーブルに保存するステップと、新たに接続された交換後のＯＮＵシリアル番号を前記交換対象として指定されたＯＮＵ識別子に関連付けて接続管理テーブルに保存するステップと、新たなＯＮＵシリアル番号が接続管理テーブルに保存された際に削除管理テーブルにおいて同ＯＮＵ識別子に関連付けられた交換前のＯＮＵシリアル番号を削除管理テーブルから削除するステップを有し、ＯＮＵの交換接続を交換前と同じＯＮＵ識別子を用いて自動で行なう。
【００１６】
本発明のＰＯＮシステムは、例えば、ＯＬＴ（Ｏｐｔｉｃａｌ  Ｌｉｎｅ  Ｔｅｒｍｉｎａｔｉｏｎ：光伝送路終端装置）と複数のＯＮＵ（Ｏｐｔｉｃａｌ  Ｎｅｔｗｏｒｋ  Ｕｎｉｔ：光網終端装置）が光ファイバを用いてスター型に接続されＯＬＴ−ＯＮＵ装置間の通信を行なうＰＯＮ（Ｐａｓｓｉｖｅ
Ｏｐｔｉｃａｌ Ｎｅｔｗｏｒｋ）システムであって、接続したＯＮＵのシリアル番号とＯＮＵを識別するための識別子を関連付けて保存する領域と、交換または削除対象となったＯＮＵのシリアル番号とＯＮＵを識別するための識別子を関連付けて保存する領域と、ＯＮＵを交換する状態にあるのか否かを保存し示す領域を備える。
【００１７】
本発明の第１の解決手段によると、
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおいて、接続された前記第１の光網終端装置のひとつを第２の光網終端装置に交換するための光網終端装置管理方法であって、
交換対象として指定された第１の光網終端装置の前記識別子を含む交換指示をオペレーション装置から受信するステップと、
第１の光網終端装置の前記識別子に対応して、第１の光網終端装置の固有番号と、第１の光網終端装置の通信及び／又は使用者についての個別設定情報とが記憶された接続管理テーブルから、指定された前記識別子に対応する前記固有番号を取得し、該固有番号を指定された前記識別子に対応して削除管理テーブルに保存するステップと、
指定された前記識別子に対応する前記固有番号を前記接続管理テーブルから削除するステップと、
第１の光網終端装置の固有番号、又は、第１の光網終端装置に代えて新たに接続された第２の光網終端装置の固有番号を取得するステップと、
前記削除管理テーブルを参照して、前記取得するステップで取得された前記固有番号が保存されているか判断するステップと、
前記固有番号が保存されていない場合、指定された前記識別子に対応して、取得された前記固有番号を前記接続管理テーブルに保存するステップと、
前記固有番号が保存されている場合、前記取得するステップ、前記判断するステップ及び前記接続管理テーブルに保存するステップを繰り返すステップと
を含む光網終端装置管理方法が提供される。
【００１８】
本発明の第２の解決手段によると、
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおいて、接続された前記第１の光網終端装置のひとつを第２の光網終端装置に交換するための光網終端装置管理方法であって、
交換対象として指定された第１の光網終端装置の固有番号を含む交換指示をオペレーション装置から受信するステップと、
第１の光網終端装置の前記識別子に対応して、第１の光網終端装置の固有番号と、第１の光網終端装置の通信及び／又は使用者についての個別設定情報とが記憶された接続管理テーブルから、指定された前記固有番号に対応する前記識別子を取得し、指定された前記固有番号を前記識別子に対応して削除管理テーブルに保存するステップと、
指定された前記固有番号を前記接続管理テーブルから削除するステップと、
第１の光網終端装置の固有番号、又は、第１の光網終端装置に代えて新たに接続された第２の光網終端装置の固有番号を取得するステップと、
前記削除管理テーブルを参照して、前記取得するステップで取得された前記固有番号が保存されているか判断するステップと、
前記固有番号が保存されていない場合、指定された前記識別子に対応して、取得された前記固有番号を前記接続管理テーブルに保存するステップと、
前記固有番号が保存されている場合、前記取得するステップ、前記判断するステップ及び前記接続管理テーブルに保存するステップを繰り返すステップと
を含む光網終端装置管理方法が提供される。
【００１９】
本発明の第３の解決手段によると、
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおける前記光伝送路終端装置であって、
第１の光網終端装置の前記識別子に対応して、第１の光網終端装置の固有番号と、第１の光網終端装置の通信及び／又は使用者についての個別設定情報とが記憶された接続管理テーブルと、
前記識別子に対応して、第１の光網終端装置の前記固有番号が記憶される削除管理テーブルと、
接続された前記第１の光網終端装置のひとつを前記第２の光網終端装置に交換するための処理を実行する処理部と
を備え、
前記処理部は、
交換対象として指定された第１の光網終端装置の前記識別子を含む交換指示をオペレーション装置から受信することと、
前記接続管理テーブルから、指定された前記識別子に対応する前記固有番号を取得し、該固有番号を指定された前記識別子に対応して前記削除管理テーブルに保存することと、
指定された前記識別子に対応する前記固有番号を前記接続管理テーブルから削除することと、
第１の光網終端装置の固有番号、又は、第１の光網終端装置に代えて新たに接続された第２の光網終端装置の固有番号を取得することと、
前記削除管理テーブルを参照して、取得された前記固有番号が保存されているか判断することと、
前記固有番号が保存されていない場合、指定された前記識別子に対応して、取得された前記固有番号を前記接続管理テーブルに保存することと、
前記固有番号が保存されている場合、前記取得すること、前記判断すること及び前記接続管理テーブルに保存することを繰り返すこと
を含む前記光伝送路終端装置が提供される。
【００２０】
本発明の第４の解決手段によると、
ユーザ側のひとつ又は複数の第１の光網終端装置の各々と、局側の光伝送路終端装置とが光ファイバ及びスプリッタを介して接続され、該光伝送路終端装置に接続された第１の光網終端装置にそれぞれ割り当てられる識別子に従い通信するパッシブ光ネットワークシステムにおける前記光伝送路終端装置であって、
第１の光網終端装置の前記識別子に対応して、第１の光網終端装置の固有番号と、第１の光網終端装置の通信及び／又は使用者についての個別設定情報とが記憶された接続管理テーブルと、
前記識別子に対応して、第１の光網終端装置の前記固有番号が記憶される削除管理テーブルと、
接続された前記第１の光網終端装置のひとつを前記第２の光網終端装置に交換するための処理を実行する処理部と
を備え、
前記処理部は、
交換対象として指定された第１の光網終端装置の固有番号を含む交換指示をオペレーション装置から受信することと、
前記接続管理テーブルから、指定された前記固有番号に対応する前記識別子を取得し、指定された前記固有番号を前記識別子に対応して前記削除管理テーブルに保存することと、
指定された前記固有番号を前記接続管理テーブルから削除することと、
第１の光網終端装置の固有番号、又は、第１の光網終端装置に代えて新たに接続された第２の光網終端装置の固有番号を取得することと、
前記削除管理テーブルを参照して、前記取得することで取得された前記固有番号が保存されているか判断することと、
前記固有番号が保存されていない場合、指定された前記識別子に対応して、取得された前記固有番号を前記接続管理テーブルに保存することと、
前記固有番号が保存されている場合、前記取得すること、前記判断すること及び前記接続管理テーブルに保存することを繰り返すことと
を含む光伝送路終端装置が提供される。
【発明の効果】
【００２１】
本発明によると、ＰＯＮシステムにおいて、オペレーション装置からＯＬＴにＯＮＵのシリアル番号を登録することなくＯＮＵ接続を行い、かつ、ＯＮＵの交換前と同じＰＯＮ−ＩＤを交換後の新ＯＮＵに割当てるＯＮＵ管理方法および光伝送路終端装置を提供することができる。また、本発明によると、交換前の設定データを交換後も継承することができる。
【００２２】
本発明によれば、ＰＯＮシステムにおいて、ＯＮＵ設置や交換時にＯＮＵ設置工事者とオペレーション装置管理者がリアルタイムに連絡を取り合ってオペレーション装置からＯＬＴにＯＮＵシリアル番号を入力する必要がなくなる。また、本発明によると、ＯＮＵ交換後にＯＮＵ設定データを再設定する必要が無く、ＯＮＵ交換の容易化を図ることが可能となる。
【発明を実施するための最良の形態】
【００２３】
以下、本発明の実施形態について、図面を参照して説明する。
（ハード構成）
図１は、本実施の形態におけるＰＯＮシステムの全体的なシステム構成の一例を示す。
ＰＯＮシステムは、例えば、ＯＬＴ４０と、複数のＯＮＵ（６０−１から６０−ｎ）と、光スプリッタ５０と、光ファイバ１４０、１５０とを備える。また、オペレーション装置（ＯｐＳ）１０、スイッチングハブ２０、初期設定端末８０、加入者端末７０を備えることができる。
【００２４】
図１において、ＯＬＴ４０は、光ファイバ（１４０、１５０−１、１５０−ｎ）および光スプリッタ５０を介して、複数のＯＮＵ（６０−１から６０−ｎ）に接続される。光スプリッタ５０は、ＯＬＴ４０から光ファイバ１４０に送出された光信号を、接続されている複数のＯＮＵ（６０−１から６０−ｎ）に均等に分配する。また、複数のＯＮＵ（６０−１から６０−ｎ）から光ファイバ（１５０−１から１５０−ｎ）に送出された光信号を多重してＯＬＴ４０に転送する。各ＯＮＵ（６０−１から６０−ｎ）は、イーサネット（登録商標）等の回線（１６０−１から１６０−ｎ）を介して加入者端末（７０−１から７０−ｎ）に接続される。
【００２５】
なお、ＯＮＵは、ＯＮＴ等の光網終端装置であってもよい。また、ＰＯＮシステムは、複数のＯＬＴ４０、４１を備えてもよい。このとき、ＯＮＵ、光ファイバ、光スプリッタは、図１に示すように各ＯＬＴに対してそれぞれ備えられる。
【００２６】
ＰＯＮシステムの管理および設定を行なうオペレーション装置１０は、イーサネット（登録商標）等の回線（１００、１１０、１１１）とイーサネット（登録商標）フレームの転送を行なうスイッチングハブ２０を介してＯＬＴ（４０、４１）に接続される。
【００２７】
初期設定端末（８０、８１）は、オペレーション装置１０を接続する前段階として、ＯＬＴ（４０、４１）の初期設定時に、各種パラメータの初期設定などを行なうために使用され得るものであり、例えば、シリアルケーブル等の回線（１３０、１３１）にてＯＬＴに接続される。
【００２８】
また、ＯＬＴ（４０、４１）は、イーサネット（登録商標）等の回線（１２０、１２１）を介してインターネット３０に接続され、加入者端末（７０−１から７０−ｎ、７１−１から７１−ｎ）へのインターネットアクセスなどのサービスの提供を可能とする。
【００２９】
例えば、ＡＴＭ−ＰＯＮシステムにおいては、ＯＮＵ（６０−１から６０−ｎ、６１−１から６１−ｎ）を設置して、加入者にサービスを開始する前に、ＯＬＴ（４０、４１）−ＯＮＵ（６０−１から６０−ｎ、６１−１から６１−ｎ）間の通信を確立するために、例えば、非特許文献１で開示されている手順に従って、ＯＮＵ接続を行なう。また、ＯＮＵの接続に非特許文献１の方法Ｂを用いる場合、ＯＬＴがＯＮＵシリアル番号（固有番号）を探索して当該ＯＮＵのシリアル番号を特定し、接続を行なう必要がある。本実施の形態では、ＯＮＵ故障などによるＯＮＵの交換に際しても、交換後のＯＮＵのシリアル番号をＯＬＴから登録することなくＯＮＵ接続を自動的に行なう。
なお、以下の説明においては、ＡＴＭ−ＰＯＮシステムを例に説明をするが、同様にＧＰＯＮシステム等の他のシステムにおいても適用可能である。
【００３０】
図２は、本実施の形態におけるＯＬＴ４０の一実施例を示すブロック構成図である。
図２に示すＯＬＴ４０は、オペレーション装置１０またはスイッチングハブ２０に接続される制御ネットワークインタフェース部４１０と、インターネット３０に接続される主信号ネットワークインタフェース部４２０と、初期設定端末８０と接続されるシリアルインタフェース部４３０と、例えば、光ファイバ１４０と光スプリッタ５０を介してＯＮＵ６０に接続され、Ｅ／Ｏ変換およびＯ／Ｅ変換を含む光インタフェース部４９０と、光インタフェース部４９０に接続されＰＯＮ制御を行なうＰＯＮ制御部４８０と、ＯＬＴの制御を行なうＯＬＴ制御部４４０とを備える。
【００３１】
ＯＬＴ制御部４４０は、ＣＰＵ４５０と、不揮発性メモリ４６０と、揮発性メモリ（ＲＡＭ）４７０を備える。不揮発性メモリ４６０は、一例としてフラッシュメモリを用いることができるが、ＥＰＲＯＭ（Ｅｒａｓａｂｌｅ  Ｐｒｏｇｒａｍｍａｂｌｅ  ＲＯＭ）やＥＥＰＲＯＭ（Ｅｌｅｃｔｒｏ  Ｅｒａｓａｂｌｅ  Ｐｒｏｇｒａｍｍａｂｌｅ  ＲＯＭ）でも構わない。
【００３２】
不揮発性メモリ４６０には、例えば、プログラムコード４６１、ＰＯＮ−ＩＤ状態（状態管理部）４６２、ＰＯＮ−ＩＤ管理テーブル（接続管理テーブル）４６３、削除ＯＮＵテーブル（削除管理テーブル）４６４を保存する。プログラムコード４６１は、ＣＰＵ４５０が実行するＯＳやアプリケーションのことであり、起動時に不揮発性メモリ４６０から揮発性メモリ４７０にロードされる。メイン制御プロセス４７１、ＯＮＵ接続メインプロセス４７２、ＯＮＵ接続復旧プロセス４７３、ＯＮＵ削除プロセス４７４、ＯＮＵ交換プロセス４７５、ＯＮＵ接続プロセス４７６、ＯＮＵ設定プロセス４７７などは、プログラムコード４６１の一部である。メイン制御プロセス４７１は、ＯＬＴ制御を行なうメインルーチンであり、必要に応じて、ＯＮＵ接続メインプロセス４７２を起動する。なお、各プロセスについては後述する。
【００３３】
（メモリ構成）
図３は、本実施の形態におけるＰＯＮ−ＩＤ管理テーブル４６３の構成の一例を示す。ＰＯＮ−ＩＤ管理テーブル４６３は、本実施の形態においてＯＮＵシリアル番号を探索し発見したＯＮＵシリアル番号を「ＰＯＮ−ＩＤ」と対応付けて保存するテーブルである。
【００３４】
図３において、ＰＯＮ−ＩＤ管理テーブル４６３は、ＰＯＮ−ＩＤが既に割当てられているか否かを示すフラグ領域４６３１と、そのＰＯＮ−ＩＤを割当てたＯＮＵ６０のシリアル番号を保存する領域４６３２と、そのＯＮＵに対する個別設定を保存する領域４６３３を含む。個別設定とは、そのＯＮＵ６０を使ってユーザにサービスを提供するために必要な設定パラメータや、ＯＮＵ管理で用いる管理データを含み、どのような情報やデータでも構わない。個別設定の例としては、例えばそのＯＮＵ６０に割当てる最大帯域、ネットワークアドレス（ＩＰアドレス）、ＯＮＵ６０の顧客名などの設定が考えられる。なお、これらに限らず、ＯＮＵの通信及び／又は使用者についての適宜の情報であってもよい。
【００３５】
図３の例では、ＰＯＮ−ＩＤそのものを保存する領域は備えていない。これはメモリアドレスとＰＯＮ−ＩＤが対応付けされていれば、ＰＯＮ−ＩＤを保存する領域は必要無いためである。ここでＰＯＮ−ＩＤとは、ＯＬＴ４０からＯＮＵ６０へメッセージを送る際に一意にメッセージ対象のＯＮＵ６０を特定するための識別子（ＩＤ）であり、ＯＬＴ−ＯＮＵ間の通信確立時に、ＯＮＵ６０のシリアル番号をＯＬＴ４０が特定した後でＯＬＴ４０から割り付けられるＩＤである。図３の例は、ＯＮＵが最大６４台（０〜６３）接続される場合の構成例であるため、ＰＯＮ−ＩＤ＃６３までの領域を図示している。なお、ＰＯＮ−ＩＤを保存する領域を備えてもよい。
【００３６】
ＰＯＮ−ＩＤ割当フラグ４６３１は、そのＰＯＮ−ＩＤを割当済の場合には、値“１”を保存し、未割当の場合には値“０”を保存する例を示しているが、未割当の場合にはＯＮＵシリアル番号保存領域４６３２に予め定めた値（例えば、全て０やｎｕｌｌコード）を保存するなど定義して、ＰＯＮ−ＩＤ割当フラグ４６３１を備えない方法も可能である。
【００３７】
図４は、本実施の形態における削除ＯＮＵテーブル４６４の構成の一例を示す。削除ＯＮＵテーブル４６４は、本実施の形態においてオペレーション装置１０や初期設定端末８０からＯＮＵ削除指示またはＯＮＵ交換指示を受けたときに、削除または交換対象のＯＮＵのシリアル番号を「ＰＯＮ−ＩＤ」と対応付けて保存するテーブルである。オペレーション装置１０や初期設定端末８０からのＯＮＵ削除指示は、ＰＯＮ−ＩＤによって指示されることができるが、ＯＮＵシリアル番号そのもので指示することでも構わない。図４において、削除ＯＮＵテーブル４６４は、削除または交換対象のＯＮＵシリアル番号を保存する領域である削除対象ＯＮＵシリアル番号保存領域４６４１を備える。
【００３８】
図４の例では、ＰＯＮ−ＩＤそのものを保存する領域は備えていない。これはメモリアドレスとＰＯＮ−ＩＤが対応付けされていれば、ＰＯＮ−ＩＤを保存する領域は必要無いためである。図４の例は、ＯＮＵが最大６４台（０〜６３）接続される場合の構成例であるため、ＰＯＮ−ＩＤ＃６３までの領域を図示している。なお、ＰＯＮ−ＩＤを保存する領域を備えても良い。
【００３９】
削除対象ＯＮＵシリアル番号保存領域４６４１は、例えば、オペレーション装置１０から「ＰＯＮ−ＩＤ＃３のＯＮＵ削除」という指示を受信した場合には、ＰＯＮ−ＩＤ＃３を割当てられているＯＮＵシリアル番号を、ＰＯＮ−ＩＤ＃３に該当する領域に保存する。運用中（削除または交換指示を受けていない）のＰＯＮ−ＩＤに該当する領域には、予め定めた値（例えば、全て０やｎｕｌｌコード）を保存する。なお、オペレーション装置１０は、例えば、加入者等からＯＮＵ交換の連絡を受けて、ＰＯＮ−ＩＤを指定することができる。
【００４０】
例えば、ＯＬＴ４０がオペレーション装置１０から交換指示を受信してから、実際にＯＮＵ設置者が交換対象のＯＮＵを取り外し、新たなＯＮＵを接続するまでにはタイムラグが生じることがある。この間にも、ＯＬＴ４０は例えば定期的にシリアル番号の探索を行っているため、ＰＯＮ−ＩＤ管理テーブル４６３からシリアル番号が削除された状態では、交換前のＯＮＵを新たなＯＮＵとして認識し、接続処理を行ってしまう。そこで、ＯＬＴ４０は、ＯＮＵ削除テーブル４６４を参照し、探索されたシリアル番号が記憶されている場合には、交換対象又は削除対象のＯＮＵのシリアル番号であるとして接続処理等を実行しない。
【００４１】
図５は、本実施の形態におけるＰＯＮ−ＩＤ状態４６２の定義の一例の説明図を示す。ＰＯＮ−ＩＤ状態４６２は、本実施の形態において、「ＯＮＵ交換中」、「ＰＯＮ−ＩＤ空きあり」、「ＰＯＮ−ＩＤ空きなし」の３つの状態のいずれかを取り、ＰＯＮ−ＩＤの管理状態を示す。
【００４２】
図５の例は、ＯＮＵが最大６４台接続される場合の例であり、「ＯＮＵ交換中」を示すＰＯＮ−ＩＤ状態４６２は、例えば、０〜６３の値を取ることと定義する。つまり、「ＰＯＮ−ＩＤ状態４６２＝３」の場合は、ＰＯＮ−ＩＤ＃３の交換指示を受信し、まだ交換が終わっていない状況を意味する。また、ＯＮＵが６４台接続され、ＰＯＮ−ＩＤ＃０〜＃６３まで割当済みの場合は、「ＰＯＮ−ＩＤ空きなし」として、値“２５５”を取ることと定義する。さらにＯＮＵが６４台未満の台数接続されている場合は、「ＰＯＮ−ＩＤ空きあり」として、値“６４”から“２５４”のいずれかを取ることと定義する。なお、各状態に対応する値は、上述の値以外の適宜の値を定義することができる。
【００４３】
（フローチャート）
次に、本実施の形態の動作について説明する。
図６は、本実施の形態におけるＯＮＵ接続メインプロセス４７２の一実施例のフローチャートを示す。ＯＮＵ接続メインプロセス４７２は、ＯＮＵの新規接続、削除、交換、接続復旧を処理するプロセスである。
【００４４】
ＯＮＵ接続メインプロセス４７２は、例えばＯＬＴ起動時にメイン制御プロセス４７１から起動される。なお、以下の説明において、各プロセスはＣＰＵ４５０により実行されることができる。また、本プロセスとは別に、ＣＰＵ４５０は、適宜のタイミングで「ＯＮＵ削除」、「ＯＮＵ交換」、「ＯＮＵ設定」等の指示を受信する。これらの指示は、例えば、キューに保持されることができる。
【００４５】
ＯＮＵ接続メインプロセス４７２は、ＰＯＮ−ＩＤ管理テーブル４６３を検索し、ＰＯＮ−ＩＤが既に１つ以上割当がされているか否かを判定する（図６のＳ１）。もし既に割当がされている場合には、ＰＯＮ−ＩＤ管理テーブル４６３に保存されている情報を用いてＯＮＵ接続を復旧するためにＯＮＵ接続復旧プロセス４７３を実行する（図６のＳ２）。ＯＮＵ接続復旧プロセス４７３は、ＯＬＴ起動時に、前回起動時の接続を復旧するためのプロセスであるため、ＯＬＴ起動時に一度実施されれば良い。
【００４６】
次に、ＯＮＵ接続メインプロセス４７２は、オペレーション装置１０または初期設定端末８０から「ＯＮＵ削除」指示を受信したか否かを判定する（図６のＳ３）。「ＯＮＵ削除」指示を受信した場合には、ＯＮＵ削除プロセス４７４を実行する（図６のＳ４）。
【００４７】
次に、オペレーション装置１０または初期設定端末８０から「ＯＮＵ交換」指示を受信したか否かを判定する（図６のＳ５）。「ＯＮＵ交換」指示を受信した場合には、ＯＮＵ交換プロセス４７５を実行する（図６のＳ６）。
【００４８】
次に、ＰＯＮ−ＩＤ状態４６２をリードし、ＰＯＮ−ＩＤ状態４６２が「ＰＯＮ−ＩＤ空きあり」又は「ＯＮＵ交換中」を示しているか否かを判定する（図６のＳ７）。本実施の形態では、図５に示すように、ＰＯＮ−ＩＤ状態が６４〜２５４の値かを判定する。ＰＯＮ−ＩＤ状態４６２が「ＰＯＮ−ＩＤ空きあり」又は「ＯＮＵ交換中」を示している場合には、ＯＮＵ接続プロセス４７６を実行する（図６のＳ８）。ＰＯＮ−ＩＤ状態４６２が「ＰＯＮ−ＩＤ空きなし」を示している場合は、ＯＮＵは最大数まで接続されていることを意味する。
【００４９】
次に、オペレーション装置１０または初期設定端末８０から「ＯＮＵ設定」指示を受信したか否かを判定する（図６のＳ９）。「ＯＮＵ設定」指示を受信した場合には、ＯＮＵ設定プロセス４７７を実行する（図６のＳ１０）。
【００５０】
次に、ＯＮＵ接続メインプロセス４７２は、「ＯＮＵ削除」指示を受信したか否かの判定（図６のＳ３）に戻り、以下繰り返す。この処理を繰り返すことで、ＯＮＵ接続メインプロセスは、運用中のＯＮＵ追加接続、交換、削除、設定に対応することが可能となる。
なお、図６のＳ３、Ｓ５、Ｓ７、Ｓ９の処理は、順番を変えても構わない。
【００５１】
図７、図８は、ＯＮＵ接続プロセス４７６の一実施例のフローチャートを示す。ステップＳ８のＯＮＵ接続プロセス４７６は、設置されたＯＮＵの新規接続を行なうプロセスである。また、図９は、非特許文献１に記載されているレンジングフロー処理において、ＯＮＵ接続に至るまでの概略のフローチャートである。レンジングフローに関しては、非特許文献１で開示されているため説明を省略する。
【００５２】
ＯＮＵ接続プロセス４７６は、最初に非特許文献１に準拠した方法Ｂによるレンジングフロー処理のうち、ＯＮＵシリアル番号取得（図９のＳ９０３）までの処理を行なう（図７のＳ８０１）。方法Ｂによるレンジングフローでは、ＯＬＴ４０からＯＮＵ６０のシリアル番号を登録することなくＯＮＵ接続を行なうため、ＯＮＵシリアル番号の探索処理が必要となる。本実施の形態では、ＯＮＵシリアル番号の探索方法は既知の技術を用いることができる。ここで、新規に接続されたＯＮＵ６０があれば、そのシリアル番号が取得される。
【００５３】
次に、ＯＮＵシリアル番号を取得できたか判定する（図７のＳ８０２）。ＯＮＵシリアル番号を取得できなかった場合（図７のＳ８０２のＮｏルート）は、その一巡のＯＮＵシリアル番号探索の間に、新規のＯＮＵが接続されなかったことを意味するためＯＮＵ接続処理プロセス４７６を終了する。
【００５４】
ＯＮＵシリアル番号を取得できた場合（図７のＳ８０２のＹｅｓルート）は、次にその取得したＯＮＵシリアル番号が削除ＯＮＵテーブル４６４に存在するか否かを判定する（図７のＳ８０３）。取得したＯＮＵシリアル番号がＯＮＵ削除テーブル４６４に存在した場合（図７のＳ８０３のＹｅｓルート）は、そのＯＮＵは削除対象であるため、ＯＮＵ接続は行なわず、ＯＮＵ探索処理を続きのビットパターンから継続するため、ＯＮＵシリアル番号探索処理（図７のＳ８０１）に戻る。例えば、「ＯＮＵ」削除の指示を受けているが、ＯＮＵ自体はまだ接続されている場合などには、上述のレンジングフローにより、シリアル番号探索されるが、このＯＮＵは接続の処理を行わない。また、取得したＯＮＵシリアル番号が、削除ＯＮＵテーブル４６４に存在しない場合（図７のＳ８０１のＮｏルート）は、そのＯＮＵは新規に接続されたＯＮＵであるため、次にＰＯＮ−ＩＤ状態４６２をリードし、ＰＯＮ−ＩＤ状態４６２が「ＯＮＵ交換中」を示しているか否かを判定する（図８のＳ８０４）。例えば、図５に示すように、ＰＯＮ−ＩＤ状態が０〜６３かを判定する。
【００５５】
ＰＯＮ−ＩＤ状態４６２が、「ＯＮＵ交換中」を示している場合（図８のＳ８０４のＹｅｓルート）は、そのＰＯＮ−ＩＤ状態４６２の値を、今シリアル番号を取得したＯＮＵに対し割当てるＰＯＮ−ＩＤ値として設定する（図８のＳ８０５）。例えば、ＰＯＮ−ＩＤ状態４６２が値“３”を示しているならば、「割当ＰＯＮ−ＩＤ値」として、“３”を設定する。
【００５６】
ＰＯＮ−ＩＤ状態４６２が、「ＯＮＵ交換中」を示していない場合（図８のＳ８０４のＮｏルート）は、ＰＯＮ−ＩＤ管理テーブル４６３を検索し、未割当のＰＯＮ−ＩＤ値のひとつを「割当ＰＯＮ−ＩＤ値」として設定する（図８のＳ８０６）。未割当のＰＯＮ−ＩＤとは、ＰＯＮ−ＩＤ割当フラグ４６３１が値“０”を示すＰＯＮ−ＩＤである。または別の方法では、ＰＯＮ−ＩＤ管理テーブル４６３の接続ＯＮＵシリアル番号４６３２が、予め定めた値（例えば、全て０やｎｕｌｌコード）を示すＰＯＮ−ＩＤである。
【００５７】
次に、非特許文献１に記載されているレンジングフロー処理のＰＯＮ−ＩＤ設定以降の処理（図９のＳ９０４〜Ｓ９０６）を実施する（図８のＳ８０７）。これらの処理よりＯＮＵ６０とＯＬＴ４０とが接続される。
【００５８】
次に、ＰＯＮ−ＩＤ管理テーブル４６３において、前記「割当ＰＯＮ−ＩＤ値」と同じＰＯＮ−ＩＤ行の、ＰＯＮ−ＩＤ割当てフラグ４６３１と接続ＯＮＵシリアル番号４６３２にそれぞれ割当済みを意味する値“１”と取得したＯＮＵシリアル番号を保存し、ＰＯＮ−ＩＤ管理テーブル４６３を更新する（図８のＳ８０８）。
【００５９】
次に、削除ＯＮＵテーブル４６４において、前記「割当ＰＯＮ−ＩＤ値」と同じＰＯＮ−ＩＤ行の、削除対象ＯＮＵシリアル番号４６４１をテーブルから削除（初期化）する（図８のＳ８０９）。この“Ｓ８０９”処理は、ＯＮＵ交換時の対応処理である。ＯＮＵ交換指示を受信した場合、削除ＯＮＵテーブル４６４の当該ＰＯＮ−ＩＤ行の削除対象ＯＮＵシリアル番号４６４１に削除対象である交換前のＯＮＵシリアル番号が保存される。ＯＮＵ交換が成されたときは、当該ＰＯＮ−ＩＤを交換後の新ＯＮＵに割当て、削除ＯＮＵテーブル４６４から削除対象のＯＮＵシリアル番号を削除する。
【００６０】
次に、ＰＯＮ−ＩＤ管理テーブル４６３を検索し、ＰＯＮ−ＩＤの空きがあるか（未割当のＰＯＮ−ＩＤがあるか）を判定する（図８のＳ８１０）。例えば、ＰＯＮ−ＩＤ割当フラグを参照し、未割当を示す「０」が存在すれば、空きありと判断する。空きがある場合（図８のＳ８１０のＹｅｓルート）は、ＰＯＮ−ＩＤ状態４６２を「ＰＯＮ−ＩＤ空きあり」を示す値（例えば、６４〜２５４）にして保存する（図８のＳ８１１）。空きがない場合（図８のＳ８１０のＮｏルート）は、ＰＯＮ−ＩＤ状態４６２を「ＰＯＮ−ＩＤ空きなし」を示す値（例えば、２５５）にして保存する（図８のＳ８１１）。以上で、ＯＮＵ接続プロセスは終了する。
【００６１】
図１０は、ＯＮＵ接続復旧プロセス４７３の一実施例のフローチャートを示す。図６のステップＳ２のＯＮＵ接続復旧プロセス４７３は、一度ＯＬＴが起動しＯＮＵ接続が行われた後、ＯＬＴを再起動した場合にＯＮＵの接続を過去に保存した設定に従い復旧するプロセスである。
【００６２】
ＯＮＵ接続復旧プロセス４７３は、ＰＯＮ−ＩＤ管理テーブル４６３の各情報を読み込む（図１０のＳ２０１）。次に、ＰＯＮ−ＩＤ割当済みのＯＮＵ６０に対し、非特許文献１に準拠した方法Ａによるレンジングフロー処理（例えば、図９のＳ９０１、Ｓ９０３〜Ｓ９０６）を行なう（図１０のＳ２０２）。
【００６３】
本実施の形態によるＯＮＴ接続方法は方法Ｂによるものとしているが、ＯＮＵ接続復旧プロセス４７３においては、既にＯＮＵシリアル番号はＰＯＮ−ＩＤ管理テーブル４６３に保存されているため方法Ａと同様の手順でＯＮＵ接続することが可能である。
【００６４】
次に、ＰＯＮ−ＩＤ割当済みの全ＯＮＵ６０に対して、レンジングフロー処理済みか否かを判定する（図１０のＳ２０３）。ＰＯＮ−ＩＤ割当済みでまだ処理をしていないＯＮＵ６０があれば（図１０のＳ２０３のＮｏルート）、Ｓ２０１処理に戻り、処理を繰り返す。ＰＯＮ−ＩＤ割当済みの全ＯＮＵに対して処理済みであれば（図１０のＳ２０３のＹｅｓルート）、ＯＮＵ接続復旧プロセス４７３は終了する。
【００６５】
図１１は、ＯＮＵ削除プロセス４７４の一実施例のフローチャートを示す。図６のステップＳ４のＯＮＵ削除プロセス４７４は、例えば、契約切れでＯＮＵ６０を取り外すなどの際に一度接続したＯＮＵを登録削除するためのプロセスである。
【００６６】
ＯＮＵ削除プロセス４７４は、オペレーション装置１０や初期設定端末８０などから削除すべきＯＮＵを指定するＯＮＵ削除指示を受信している。このとき、削除対象のＯＮＵ指定の仕方は、ＰＯＮ−ＩＤで指定しても良いし、ＯＮＵシリアル番号で指定し、ＯＮＵ削除プロセス４７４においてＰＯＮ−ＩＤ管理テーブル４６３のＯＮＵシリアル番号から該当するＰＯＮ−ＩＤを逆引きしても良い。
【００６７】
ＯＮＵ削除プロセス４７４は、削除ＯＮＵテーブル４６４の該当ＰＯＮ−ＩＤ行に削除対象ＯＮＵのシリアル番号を保存する（図１１のＳ４０１）。削除対象ＯＮＵのシリアル番号は、例えば、ＯＮＵ削除指示で指示されたＰＯＮ−ＩＤに基づいて、ＰＯＮ−ＩＤ管理テーブル４６３から取得したシリアル番号を用いることができる。次に、ＰＯＮ−ＩＤ管理テーブル４６３において、削除対象となるＰＯＮ−ＩＤ行のＰＯＮ−ＩＤ割当フラグ４６３１と接続ＯＮＵシリアル番号４６３２と個別設定４６３３を初期化する（図１１のＳ４０２）。
【００６８】
次に、ＰＯＮ−ＩＤ状態４６２をリードし、ＰＯＮ−ＩＤ状態４６２が「ＯＮＵ交換中」を示しているか否かを判定する（図１１のＳ４０３）。ＰＯＮ−ＩＤ状態４６２が、「ＯＮＵ交換中」を示していない場合（図１１のＳ４０３のＮｏルート）は、ＯＮＵ削除したことにより、ＰＯＮ−ＩＤ割当に空き（未割当）ができたはずなので、ＰＯＮ−ＩＤ状態４６２が「ＰＯＮ−ＩＤ空きあり」を示すように更新して保存し（図１１のＳ４０４）、ＯＮＵ削除プロセス４７４を終了する。
【００６９】
また、ＰＯＮ−ＩＤ状態４６２が、「ＯＮＵ交換中」を示している場合（図１１のＳ４０３のＹｅｓルート）は、ＯＮＵ削除プロセス４７４を終了する。図６のステップＳ６のＯＮＵ交換プロセス４７５は、ＯＮＵが故障した際にＯＮＵを交換するためのプロセスである。
【００７０】
図１２は、ＯＮＵ交換プロセス４７５の一実施例のフローチャートを示す。
ＯＮＵ交換プロセス４７５は、オペレーション装置１０や初期設定端末８０などから交換すべきＯＮＵを指定するＯＮＵ交換指示を受信している。このとき、交換対象のＯＮＵ指定の仕方は、ＰＯＮ−ＩＤで指定しても良いし、ＯＮＵシリアル番号で指定し、ＯＮＵ交換プロセス４７５においてＰＯＮ−ＩＤ管理テーブル４６３のＯＮＵシリアル番号から該当するＰＯＮ−ＩＤを逆引きしても良い。
【００７１】
ＯＮＵ交換プロセス４７５は、削除ＯＮＵテーブル４６４の該当ＰＯＮ−ＩＤ行に交換対象ＯＮＵのシリアル番号を保存する（図１２のＳ６０１）。交換対象ＯＮＵのシリアル番号は、指定されたＰＯＮ−ＩＤに基づいて、ＰＯＮ−ＩＤ管理テーブル４６３から取得された番号を用いることができる。
【００７２】
次に、ＰＯＮ−ＩＤ管理テーブル４６３において、交換対象となるＰＯＮ−ＩＤ行のＰＯＮ−ＩＤ割当フラグ４６３１と接続ＯＮＵシリアル番号４６３２を初期化して保存する（図１２のＳ６０２）。このとき、ＯＮＵ交換であるため、個別設定４６３３は初期化せずに保持しておく。
【００７３】
次に、ＰＯＮ−ＩＤ状態４６２が「ＯＮＵ交換中」を示すように更新して保存し（図１２のＳ６０３）、ＯＮＵ交換プロセス４７５を終了する。例えば、ＰＯＮ−ＩＤ状態４６２に、指定されたＰＯＮ−ＩＤの値を保存する。
【００７４】
図１３は、ＯＮＵ設定プロセス４７７の一実施例のフローチャートを示す。図６のステップＳ１０のＯＮＵ設定プロセス４７７は、ＯＮＵに関連する個別のデータを設定・保存するためのプロセスである。
【００７５】
ＯＮＵ設定プロセス４７７は、オペレーション装置１０や初期設定端末８０などから、当該ＯＮＵに設定すべきデータ内容を受信している。データ内容としては、例えば、ネットワークアドレス、最大帯域、顧客名等を含む。このとき、データ設定対象のＯＮＵ指定の仕方は、ＰＯＮ−ＩＤで指定しても良いし、ＯＮＵシリアル番号で指定し、ＯＮＵ設定プロセス４７７においてＰＯＮ−ＩＤ管理テーブル４６３のＯＮＵシリアル番号から該当するＰＯＮ−ＩＤを逆引きしても良い。
【００７６】
ＯＮＵ設定プロセス４７７は、オペレーション装置１０や初期設定端末８０などからの指示、データ内容に従い、当該ＰＯＮ−ＩＤを持つＯＮＵ６０に対し、データ設定を行なう（図１３のＳ１００１）。
次に、ＯＮＵ設定プロセス４７７は、ＰＯＮ−ＩＤ管理テーブル４６３の該当ＰＯＮ−ＩＤ行の個別設定４６３３に、その設定内容を保存する（図１３のＳ１００２）。
【００７７】
図１４は、上記で説明した本実施の形態のフローチャートに従ったＰＯＮ−ＩＤ状態４６２、ＰＯＮ−ＩＤ管理テーブル４６３、削除ＯＮＵテーブル４６４の遷移シーケンスの一例を示す。なお、図１４では簡略化のため、ＯＮＵ最大接続数は２台とし、ＯＮＵシリアル番号を１バイトとして説明する。
【００７８】
図１４の状態５０１は、初期状態を示しており、ＰＯＮ−ＩＤ状態４６２は「ＰＯＮ−ＩＤ空きあり」を示し、他も初期値を示す。図１４の状態５０２は、ＯＮＵシリアル番号０ｘ０Ａを持つＯＮＵを１台接続し、図７、図８のＯＮＵ接続プロセスに従い動作し、さらに図１３のＯＮＵ設定プロセスに従い個別設定として“ＸＸＸ”を設定した状態を示している。図１４の状態５０３は、さらにＯＮＵシリアル番号０ｘ０Ｂを持つＯＮＵを１台追加接続し、図７、図８のＯＮＵ接続プロセスに従い動作し、個別設定として“ＹＹＹ”を設定した状態を示している。
【００７９】
図１４の状態５０４は、ＰＯＮ−ＩＤ＃１のＯＮＵを削除指示し、図１１のＯＮＵ削除プロセスに従い動作した状態を示している。ＯＮＵ削除プロセスでは、個別設定（ＸＸＸも削除される）。図１４の状態５０５は、ＰＯＮ−ＩＤ＃２のＯＮＵを交換指示し、図１２のＯＮＵ交換プロセスに従い動作した状態を示している。ＯＮＵ交換プロセスでは、個別設定（ＹＹＹ）は削除されない。
【００８０】
図１４の状態５０６は、ＯＮＵシリアル番号０ｘ０Ｂを持つＯＮＵを、ＯＮＵシリアル番号０ｘ０Ｃを持つ新ＯＮＵに交換し、図７、図８のＯＮＵ接続プロセスに従い動作した結果を示しており、ここで、交換前の個別設定データ“ＹＹＹ”が、交換後のＯＮＵ（シリアル番号０ｘ０Ｃ）に継承された状態を示している。
上記の実施例１では、ＡＴＭ−ＰＯＮシステムにおけるＯＮＵ管理方法を例に示したが、ＧＰＯＮシステムにおけるＯＮＵ管理方法、他のＰＯＮシステムにも適用可能である。
【００８１】
以上、本実施の形態によれば、ＰＯＮシステムにおいて、ＯＮＵ設置や交換時にＯＮＵ設置工事者とオペレーション装置管理者が連絡を取り合ってオペレーション装置からＯＬＴにＯＮＵシリアル番号を入力する必要や、ＯＮＵ交換後にＯＮＵ設定データを再設定する必要が無く、ＯＮＵ交換の容易化を図ることが可能となる。
【図面の簡単な説明】
【００８２】
【図１】本発明におけるＰＯＮシステムの全体システム構成の一例。
【図２】本発明におけるＯＬＴの一実施例を示すブロック構成図。
【図３】本発明におけるＰＯＮ−ＩＤ管理テーブルの構成の一例。
【図４】本発明における削除ＯＮＵテーブルの構成の一例。
【図５】本発明におけるＰＯＮ−ＩＤ状態の定義の一例。
【図６】本発明におけるＯＮＵ接続メインプロセスのフローチャートの一例。
【図７】本発明におけるＯＮＵ接続プロセスのフローチャートの一例。
【図８】本発明におけるＯＮＵ接続プロセスのフローチャートの一例。
【図９】非特許文献１におけるレンジングフロー処理の概要を示すフローチャート。
【図１０】本発明におけるＯＮＵ接続復旧プロセスのフローチャートの一例。
【図１１】本発明におけるＯＮＵ削除プロセスのフローチャートの一例。
【図１２】本発明におけるＯＮＵ交換プロセスのフローチャートの一例。
【図１３】本発明におけるＯＮＵ設定プロセスのフローチャートの一例。
【図１４】本発明に従ったシーケンスの一例。
【符号の説明】
【００８３】
１０  オペレーション装置（ＯｐＳ）
２０  スイッチングハブ
３０  インターネット
４０、４１  ＯＬＴ
５０、５１  光スプリッタ
６０、６０−１〜６０−ｎ、６１−１〜６１−ｎ  ＯＮＵ
７０−１〜７０−ｎ、７１−１〜７１−ｎ  加入者端末
８０、８１  初期設定端末
１００、１１０、１１１、１２０、１２１  イーサネット（登録商標）などの回線
１３０、１３１  シリアルケーブルなどの回線
１４０、１４１  光ファイバ
１５０−１〜１５０−ｎ、１５１−１〜１５１−ｎ  光ファイバ
１６０−１〜１６０−ｎ、１６１−１〜１６１−ｎ  イーサネット（登録商標）などの回線
４１０  制御ネットワークインタフェース部
４２０  主信号ネットワークインタフェース部
４３０  シリアルインタフェース部
４４０  ＯＬＴ制御部
４５０  ＣＰＵ
４６０  不揮発性メモリ
４６１  プログラムコード
４６２  ＰＯＮ−ＩＤ状態
４６３  ＰＯＮ−ＩＤ管理テーブル
４６４  削除ＯＮＵテーブル
４７０  揮発性メモリ（ＲＡＭ）
４７１  メイン制御プロセス
４７２  ＯＮＵ接続メインプロセス
４７３  ＯＮＵ接続復旧プロセス
４７４  ＯＮＵ削除プロセス
４７５  ＯＮＵ交換プロセス
４７６  ＯＮＵ接続プロセス
４７７  ＯＮＵ設定プロセス
４９０  光インタフェース部
５０１〜５０６  本発明に従ったシーケンスの一例
４６３１  ＰＯＮ−ＩＤ割当フラグ（保存領域）
４６３２  接続ＯＮＵシリアル番号（保存領域）
４６３３  個別設定（保存領域）
４６４１  削除対象ＯＮＵシリアル番号（保存領域）
【図１】
2007135026.tif 000003
【図２】
2007135026.tif 000004
【図３】
2007135026.tif 000005
【図４】
2007135026.tif 000006
【図５】
2007135026.tif 000007
【図６】
2007135026.tif 000008
【図７】
2007135026.tif 000009
【図８】
2007135026.tif 000010
【図９】
2007135026.tif 000011
【図１０】
2007135026.tif 000012
【図１１】
2007135026.tif 000013
【図１２】
2007135026.tif 000014
【図１３】
2007135026.tif 000015
【図１４】
2007135026.tif 000016